(57)【要約】  【課題】光量制御用開口部を有する光量制御羽根とシャッタ羽根とが、余り制約を受けずに、一つの羽根室内に配置できるようにしたカメラ用羽根駆動装置を提供すること。  【解決手段】羽根室内には、回転子９の出力ピン９ｃによって同時に相反する方向へ回転させられるシャッタ羽根５，６と、回転子１０の出力ピン１０ｃによって同時に相反する方向へ回転させられる絞り羽根７と補助羽根８が配置されている。また、それらは、地板１側から、絞り羽根７、シャッタ羽根６と補助羽根８、シャッタ羽根５、の順に配置されており、補助羽根８は、常に、シャッタ羽根５と絞り羽根７の間にあって、露光用開口部１ａに臨むことはない。そして、撮影に際して、シャッタ羽根５，６だけが作動させられるときには、補助羽根８が、絞り羽根７の光量制御用開口部７ａを覆っているので、シャッタ羽根５の先端部は、光量制御用開口部７ａの縁に衝突することがない。【選択図】  図１
2007316477.tif 000002
【特許請求の範囲】
【請求項１】
露光用開口部を有していて両者間に一つの羽根室を構成している二つの地板と、前記羽根室内に回転可能に配置されていて第１駆動手段によって前記露光用開口部の開閉作動を行う少なくとも１枚のシャッタ羽根と、光量制御用開口部を有していて前記羽根室内に回転可能に配置されており第２駆動手段によって前記露光用開口部に対して進退作動を行う光量制御羽根と、前記羽根室内においてその一部が前記少なくとも１枚のシャッタ羽根と前記光量制御羽根の間でそれらに重なるようにして回転可能に配置されており前記第２駆動手段によって前記光量制御羽根とは同時に相反する方向へ回転させられるが前記露光用開口部には進退しない補助羽根と、を備えていることを特徴とするカメラ用羽根駆動装置。
【請求項２】
前記光量制御羽根が前記露光用開口部から退いているとき、前記補助羽根は、前記光量制御用開口部の少なくとも一部と重なっていることを特徴とする請求項１に記載のカメラ用羽駆動装置。
【請求項３】
前記少なくとも１枚のシャッタ羽根が、前記第１駆動手段によって同時に相反する方向へ回転させられる２枚のシャッタ羽根であって、前記露光用開口部の全開時にはそれらの先端部が重なる形状をしており、一方のシャッタ羽根は、その一部が前記補助羽根を間にして前記光量制御羽根と重なるように配置され、他方のシャッタ羽根は、その一部が前記一方のシャッタ羽根と前記光量制御羽根の間でそれらに重なっているが、前記補助羽根とは重ならないようにして配置されていることを特徴とする請求項１又は２に記載のカメラ用羽駆動装置。
【請求項４】
前記光量制御羽根が、絞り羽根であって、前記光量制御用開口部が、前記露光用開口部よりも小さい開口部であることを特徴とする請求項１乃至３のいずれかに記載のカメラ用羽駆動装置。
【請求項５】
前記光量制御羽根が、フィルタ羽根であって、前記光量制御用開口部が、ＮＤフィルタシートで覆われていることを特徴とする請求項１乃至３のいずれかに記載のカメラ用羽駆動装置。
【発明の詳細な説明】
【技術分野】
【０００１】
本発明は、シャッタ羽根と光量制御羽根（絞り羽根，フィルタ羽根）とを一つの羽根室内に配置したカメラ用羽根駆動装置に関する。
【背景技術】
【０００２】
下記の特許文献１に記載されているシャッタ装置は、２枚のシャッタ羽根が、駆動手段によって同時に相反する方向へ往復回転させられ、開き作動の場合には、露光開口の中央部から開き始め、閉じ作動の場合には、露光開口の中央部を最後にして閉じるように構成されている。そして、２枚のシャッタ羽根にこのような作動を行わせる場合には、閉じ作動を行うとき、各々のシャッタ羽根が光軸に対して垂直な面で作動せず、傾いたり撓んだりすることによって、両者の先端部同士が衝突してしまうことがあるため、それらの先端部を長くして、露光開口を全開にしているときでも、それらの先端部が重なっているようにしている。ところが、そのような構成にすると、各々のシャッタ羽根が大きくなることから、シャッタ羽根の先端を長くしなくても、シャッタ羽根同士が衝突しないようにするために、二つの地板の間を中間板で仕切ることによって二つの羽根室を構成し、２枚のシャッタ羽根を別々の羽根室内で作動させるようにしたシャッタ装置が、下記の特許文献２に記載されている。
【０００３】
ところで、シャッタ装置と光量制御装置（絞り装置，フィルタ装置）とを一つのユニットとして構成する場合があるが、そのような場合にも、シャッタ羽根と光量制御羽根（絞り羽根，フィルタ羽根）とが作動中に衝突しないようにする必要がある。そのため、そのようなユニットを構成する場合は、従来から、上記のようにして二つの羽根室を構成し、一方の羽根室にはシャッタ羽根を、他方の羽根室には光量制御羽根を配置するのが一般的であった。ところが、そのような構成は、中間板がかなり大きな部材であることや、その取付構成が必要であることなどを考えると、コストの面では、決して好ましいとは言えなかった。そこで、中間板を設けることなく、２枚のシャッタ羽根と１枚の絞り羽根とを一つの羽根室に配置したとしても、作動中に各羽根間で衝突が起きないようにした構成が、下記の特許文献３で知られている。そして、この構成において、絞り羽根に形成されている円形の光量制御用開口部をＮＤフィルタシートで覆うようにすれば、シャッタ装置とフィルタ装置とをユニット化したものになる。本発明は、このように、シャッタ羽根と光量制御羽根とを一つの羽根室内に配置したカメラ用羽根駆動装置に関するものである。
【０００４】
【特許文献１】特開２００３−１７７４４７号公報
【特許文献２】特開２００５−９９１６７号公報
【特許文献３】特開２００４−２０５９９６号公報
【発明の開示】
【発明が解決しようとする課題】
【０００５】
特許文献３に記載された羽根駆動装置の場合、２枚のシャッタ羽根は互いに隣接していて、どのような作動状態でも常にそれらの一部が重なっており、絞り羽根は一方のシャッタ羽根とだけ隣接していて、どのような作動状態でも常にそれらの一部が重なっているようにして配置されている。そして、２枚のシャッタ羽根は、特許文献１に記載されているシャッタ羽根のように、先端部を長く形成していないが、閉じ作動を行うときには、挟みのようにしてそれらの回転軸側から先端部に向けて順に重なっていく形状になっているため、両者の先端部同士が衝突することがない。その代わり、先端部を長くしたシャッタ羽根のように、露光開口の中央部から開き始め、中央部を最後にして閉じていくようにはできなくなっている。また、２枚のシャッタ羽根は、絞り羽根が露光開口に進入した状態のときにも、退避した状態のときにも、作動中にそれらの先端部が光量制御用開口部に重なることがない。そのため、シャッタ羽根が作動中に傾いたり撓んだりすることがあったとしても、いずれの先端部も光量制御用開口部の縁に衝突するようなことがない。
【０００６】
しかしながら、そのようにシャッタ羽根と絞り羽根が衝突しないのは、羽根の形状によることもあるが、主な理由は、シャッタ羽根の駆動手段と絞り羽根の駆動手段とを、そのような衝突の生じ得ない位置関係にして配置しているからである。ところが、カメラの仕様によっては、両方の駆動手段を、そのような都合のよい位置関係にして配置することのできないことがある。特に、最近ではカメラが小型化されていて、羽根駆動装置は、その地板の大きさや形状に厳しい制約を受けるため、むしろ、そのように配置できないことの方が多くなっている。しかも、特許文献１に記載されているシャッタ羽根のように、先端部を細長くしたい場合には、シャッタ羽根が傾いたり撓み易くなるうえに、先端部の作動域が大きくなるため、その先端部が光量制御用開口部の縁に衝突しないようにするのが一層困難になる。
【０００７】
本発明は、このような問題点を解決するためになされたものであり、その目的とするところは、一つの羽根室内に、シャッタ羽根と、光量制御用開口部を有する光量制御羽根を配置し、それらを夫々の駆動手段で往復回転させるようにしたカメラ用羽根駆動装置において、シャッタ羽根の先端部が、作動中に、光量制御羽根の光量制御用開口部と重なる状態になっても、シャッタ羽根の傾きや撓みによって、その先端部が光量制御用開口部の縁に衝突しないようにしたカメラ用羽根駆動装置を提供することである。
【課題を解決するための手段】
【０００８】
上記の目的を達成するために、本発明のカメラ用羽根駆動装置は、露光用開口部を有していて両者間に一つの羽根室を構成している二つの地板と、前記羽根室内に回転可能に配置されていて第１駆動手段によって前記露光用開口部の開閉作動を行う少なくとも１枚のシャッタ羽根と、光量制御用開口部を有していて前記羽根室内に回転可能に配置されており第２駆動手段によって前記露光用開口部に対して進退作動を行う光量制御羽根と、前記羽根室内においてその一部が前記少なくとも１枚のシャッタ羽根と前記光量制御羽根の間でそれらに重なるようにして回転可能に配置されており前記第２駆動手段によって前記光量制御羽根とは同時に相反する方向へ回転させられるが前記露光用開口部には進退しない補助羽根と、を備えているようにする。
【０００９】
その場合、前記光量制御羽根が前記露光用開口部から退いているとき、前記補助羽根は、前記光量制御用開口部の少なくとも一部と重なっているようにすると、最も好適な構成になる。また、前記少なくとも１枚のシャッタ羽根が、前記第１駆動手段によって同時に相反する方向へ回転させられる２枚のシャッタ羽根であって、前記露光用開口部の全開時にはそれらの先端部が重なる形状をしており、一方のシャッタ羽根は、その一部が前記補助羽根を間にして前記光量制御羽根と重なるように配置され、他方のシャッタ羽根は、その一部が前記一方のシャッタ羽根と前記光量制御羽根の間でそれらに重なっているが、前記補助羽根とは重ならず且つ作動上で干渉しないように配置されているようにすると、性能面でも優れたカメラ用羽根駆動装置が得られる。
【００１０】
また、本発明は、前記光量制御羽根が、絞り羽根であって、前記光量制御用開口部が、前記露光用開口部よりも小さい開口部であるようにしてもよいし、前記光量制御羽根が、フィルタ羽根であって、前記光量制御用開口部が、ＮＤフィルタシートで覆われているようにしてもよい。
【発明の効果】
【００１１】
本発明は、一つの羽根室内にシャッタ羽根と光量制御羽根とを配置しているにもかかわらず、光量制御羽根とは同じ駆動手段によって同時に相反する方向へ往復回転させられる補助羽根を設け、その補助羽根を、露光開口には進退させないようにして、常に光量制御羽根とシャッタ羽根との間で作動させるようにしたので、シャッタ羽根の先端部が、作動中に、光量制御羽根の光量制御用開口部と重なる状態になっても、シャッタ羽根の傾きや撓みによって、その先端部が光量制御用開口部の縁に衝突してしまうことがない。
【発明を実施するための最良の形態】
【００１２】
本発明の実施の形態を、図示した実施例によって説明する。本発明は、シャッタ装置と絞り装置とをユニット化した羽根駆動装置にも、シャッタ装置とフィルタ装置とをユニット化した羽根駆動装置にも適用することができるものである。また、それらの装置は、銀塩フィルムを使用するカメラに採用することもできるし、各種情報端末機器用カメラを含むデジタルカメラにも採用することができるものである。しかしながら、実施例では、シャッタ装置と絞り装置とをユニット化した羽根駆動装置をデジタルカメラに採用した場合で説明し、その他のことは適宜その過程で説明を加えることにする。尚、図１は、撮影待機状態を示す実施例の平面図であり、図２は、構成部材の重なり関係を分かり易く示した実施例の断面図である。また、図３は、図１の状態から開始したシャッタ羽根の閉じ作動の途中の状態を示す平面図であり、図４は、その閉じ作動が終了した状態を示す平面図である。更に、図５は、図１の状態から絞り羽根が露光開口に進入した状態を示す平面図であり、図６は、図５の状態からシャッタ羽根の閉じ終わった状態を示す平面図である。
【実施例】
【００１３】
本実施例は、一つの羽根室内に、第１駆動手段によって同時に相反する方向へ往復回転させられる２枚のシャッタ羽根と、露光開口よりも小さい光量制御用開口部を有していて第２駆動手段によって往復回転させられる１枚の絞り羽根と、シャッタ羽根と絞り羽根の間でそれらに重なるようにして配置されていて第２駆動手段によって往復回転させられるが露光開口には進退しない補助羽根とを備えている羽根駆動装置として構成したものである。そこで、先ず、主に図１及び図２を用いて、本実施例の構成を説明する。本実施例の地板１は、合成樹脂製であって、図２から分かるように比較的厚く、複雑な形状をしている。この地板１には、図１に示されているように、その略中央部に円形をした露光用開口部１ａが形成されており、その露光用開口部１ａを間にした対称位置には二つの円弧状の長孔１ｂ，１ｃが形成されている。そして、この地板１は、後述する補助地板２との間に羽根室を構成し、羽根室とは反対側において、後述する二つの固定子枠３，４との間に二つのアクチュエータ室を構成している。
【００１４】
この地板１の羽根室側の面には、四つの羽根軸１ｄ，１ｅ，１ｆ，１ｇと、八つのストッパ軸１ｈ，１ｉ，１ｊ，１ｋ，１ｍ，１ｎ，１ｐ，１ｑが一体成形で立設されている。そのほか、この羽根室側の面には複数の取付軸が一体成形で立設されているが、図１においてはそれらの図示を省略してあり、図２においてはそれらのうちの二つの取付軸１ｒ，１ｓだけを示してある。また、この地板１には、図２に示されているように、アクチュエータ室側の面に四つの取付軸１ｔ，１ｕ，１ｖ，１ｗと、二つの回転子軸１ｘ，１ｙが一体成形で立設されている。そして、二つの取付軸１ｒ，１ｓを含む羽根室側の取付軸は、補助地板２に形成された孔を貫通し、その先端を熱溶解で鍔状に変形させられて、補助地板２を取り付けている。また、アクチュエータ室側の取付軸１ｔ，１ｕ，１ｖ，１ｗは、固定子枠３，４に形成された孔を貫通し、その先端を熱溶解で鍔状に変形させられて、固定子枠３，４を取り付けている。
【００１５】
図１においては、補助地板２の図示を省略してあるが、平面形状は地板１と略同じ形状をしていて、その略中央部には、上記の露光用開口部１ａに対応するところに、露光用開口部２ａ（図２参照）が形成されている。しかしながら、本実施例においては、露光用開口部１ａの方が直径が小さいため、撮影のための露光開口は、露光用開口部１ａによって規制されている。また、この補助地板２には、上記の円弧状の長孔１ｂ，１ｃに対応するところに、それらと略同じ形状をした二つの長孔２ｂ，２ｃ（図２参照）が形成されている。更に、この補助地板２には、上記の四つの羽根軸１ｄ，１ｅ，１ｆ，１ｇと、八つのストッパ軸１ｈ，１ｉ，１ｊ，１ｋ，１ｍ，１ｎ，１ｐ，１ｑと、取付軸１ｒ，１ｓを含む複数の取付軸とを嵌合させるために複数の孔が形成されているが、それらのうち、羽根軸１ｄ，１ｅ，１ｆ，１ｇを嵌合させる孔２ｄ，２ｅ，２ｆ，２ｇと、取付軸１ｒ，１ｓを嵌合させる孔（符号なし）だけが図２に示されている。
【００１６】
このようにして、地板１と補助地板２の間に構成された羽根室には、２枚のシャッタ羽根５，６と、１枚の絞り羽根７と、１枚の補助羽根８とが配置されているが、その重なり順序は、最も地板１側にあるのが光量制御羽根としての絞り羽根７であり、次がシャッタ羽根６と補助羽根８であり、最も補助地板２側にあるのがシャッタ羽根５である。そして、シャッタ羽根５，６は、長孔５ａ，６ａを有していて上記の羽根軸１ｄ，１ｅに回転可能に取り付けられている。また、絞り羽根７は、上記の露光用開口部よりも直径の小さな光量制御用開口部７ａと長孔７ｂを有していて上記の羽根軸１ｆに回転可能に取り付けられている。また、補助羽根８は、長孔８ａを有していて上記の羽根軸１ｇに回転可能に取り付けられている。尚、本実施例のシャッタ羽根５，６は、図１に示された形状からも分かるように、特許文献１に記載されているタイプのシャッタ羽根である。
【００１７】
他方、シャッタ羽根５，６の駆動手段であるアクチュエータと、絞り羽根７と補助羽根８の駆動手段であるアクチュエータは、上記の羽根室の反対側に配置されている。これらの二つのアクチュエータは全く同じ構成をしていて、特開２００５−２４１８６６号公報の実施例３〜５（図６〜１１）に記載されているアクチュエータの構成と実質的に同じである。しかしながら、それらのアクチュエータの具体的な構成は、本発明とは直接関係がないため、図１においては、固定子の形状を省略してあり、回転子９，１０の平面形状だけを示してある。そのため、固定子を構成する部材の平面形状で不明の点があるようであれば、上記の公報を参照されたい。
【００１８】
そこで、先ず、本実施例の回転子９，１０は、夫々上記の回転子軸１ｘ，１ｙに回転可能に取り付けられている。これらの回転子９，１０は、永久磁石製であって、径方向に２極に着磁された円筒部９ａ，１０ａと、アーム部９ｂ，１０ｂと、出力ピン９ｃ，１０ｃとで構成されている。そして、一方の出力ピン９ｃは、地板１の長孔１ｂから羽根室内に挿入され、シャッタ羽根５，６の長孔５ａ，６ａに嵌合し、その先端を、補助地板２の長孔２ｂから羽根室外へ突き出している。また、他方の出力ピン１０ｃは、地板１の長孔１ｃから羽根室内に挿入され、絞り羽根７と補助羽根８の長孔７ｂ，８ａに嵌合し、その先端を、補助地板２の長孔２ｃから羽根室外へ突き出している。尚、この種のアクチュエータにおいては、上記のアーム部９ｂ，１０ｂと、出力ピン９ｃ，１０ｃとを合成樹脂製としたものも知られている。
【００１９】
本実施例の固定子枠３，４には、夫々中空のボビン部３ａ，４ａが形成されていて、その外側にはコイル１１，１２が巻回されている。また、Ｕ字形をしていて二つの脚部を有しているヨーク１３，１４は、その一方の脚部をボビン部３ａ，４ａの中空部に挿入し、二つの脚部の先端を磁極部として、上記の円筒部９ａ，１０ａの周面に対向させている。尚、本実施例の場合には、固定子枠３，４にボビン部３ａ，４ａを一体成形で形成しているが、この種のアクチュエータには、それらを別部材として構成したものも知られている。そして、このように構成されたアクチュエータの場合には、コイル１１，１２に対する通電方向に対応した方向へ、回転子９，１０が、所定の角度範囲内でだけ回転するようになっている。
【００２０】
次に、本実施例の作動を説明する。図１は、撮影待機状態を示したものであって、シャッタ羽根５，６は、露光開口を規制している露光用開口部１ａを全開にしており、それらの細長い先端部同士は重なっている。また、絞り羽根７は、露光用開口部１ａに進入しておらず退避状態にある。そのため、図示していない固体撮像素子には被写体光が当たっており、撮影者は、モニターによって被写体像を観察することが可能になっている。また、このとき、夫々のアクチュエータのコイル１１，１２には通電されていない。しかしながら、周知のように、このとき、回転子９，１０は、その円筒部９ａ，１０ａに着磁された磁極とヨーク１３，１４の各々の二つの磁極部との対向配置関係によって、反時計方向へ回転するように付勢されている。そのため、出力ピン９ｃは、シャッタ羽根５を時計方向へ、シャッタ羽根６を反時計方向へ回転させようとしているが、シャッタ羽根５，６は、ストッパ軸１ｉ，１ｈに押し付けられ、この状態が維持されている。また、出力ピン１０ｃの方は、絞り羽根７を時計方向へ、補助羽根８を反時計方向へ回転させようとしているが、各羽根７，８は、ストッパ軸１ｊ，１ｋに押し付けられて、この状態が維持されている。
【００２１】
撮影に際してレリーズボタンが押されると、その初期段階において、先ず、測光回路によって被写体光を測定し、その結果によって、被写体光を制限して撮影すると判断された場合には、最初に絞り羽根７を露光用開口部１ａに進入させておいてから実際の撮影が開始されることになるが、先ずは、被写体光を制限しないで撮影すると判断された場合を説明する。その場合には、直ちに、固体撮像素子に蓄積されていた電荷を放出させて、撮影が開始され、新たな電荷が固体撮像素子に蓄積されていく。そして、所定の時間が経過すると、露光時間制御回路からの信号によって、コイル１１に対して順方向の電流が供給される。それによって、回転子９は、時計方向へ回転させられるので、出力ピン９ｃによって、シャッタ羽根５を反時計方向へ回転させ、シャッタ羽根６を時計方向へ回転させ、２枚のシャッタ羽根５，６に閉じ作動を行わせる。そして、その閉じ作動の途中の状態が、図３に示されている。
【００２２】
この図３の状態から分かるように、本実施例の２枚のシャッタ羽根５，６は、露光用開口部１ａの中心領域を最後に閉じるような理想に近い形状に形成されている。そして、それらの先端部は、相互の重なりを深めるように作動しているから、この閉じ作動中に、シャッタ羽根５，６同士が衝突するようなことはない。また、この状態のとき、シャッタ羽根５の方は、絞り羽根７の光量制御用開口部７ａと重なるようになる。そのため、その作動中に傾いたり撓んだりすると、その先端部が円形をした光量制御用開口部７ａの内側の縁に衝突してしまうことが、本実施例の場合には、シャッタ羽根５と絞り羽根７の間に補助羽根８が配置されていて、光量制御用開口部７ａを覆っているので、そのような衝突は生じ得ない。尚、本実施例のシャッタ羽根５，６は、上記したように、特許文献１に記載されているタイプの形状をしているが、特許文献２，３に記載されているタイプの形状をしたシャッタ羽根の場合にも同じことが言える。
【００２３】
シャッタ羽根５，６は、このようにして閉じ作動を行い、露光用開口部１ａを閉鎖すると、その直後に、シャッタ羽根５は、その先端部がストッパ軸１ｎに当接し、シャッタ羽根６は、その先端部がストッパ軸１ｍに当接して停止する。図４は、その停止状態を示したものである。尚、この図４からも分かるように、シャッタ羽根５が、露光用開口部１ａを覆っている部位の形状を、もう少し大きくすれば、シャッタ羽根５のみで露光用開口部１ａを覆うことが可能になる。そのため、本発明の羽根駆動装置は、シャッタ羽根を１枚だけ備えたものであっても構わない。また、本実施例の場合には、上記のように、補助羽根８が光量制御用開口部７ａを完全に覆うようにしているが、必ずしもそのように構成する必要はなく、シャッタ羽根５の先端部の形状や作動軌跡によっては、一部だけを覆えばよい場合もある。また、図４の停止状態においては、シャッタ羽根６の先端部がストッパ軸１ｍに接触していないが、閉じ作動終了時にストッパ軸１ｍに当接した後、停止時には、いずれか一方のシャッタ羽根の先端部が、このような非接触状態になる構成は、シャッタ羽根５，６のバウンドを抑制し、早期に停止させるための構成として周知であるため、その説明は省略する。
【００２４】
このようにして、図４に示した状態になると、固体撮像素子に蓄積された電荷が、撮像情報として記憶装置に転送される。そして、その転送が終わると、コイル１１に対して上記とは異なり逆方向の電流が供給される。それによって、回転子９は反時計方向へ回転させられ、その出力ピン９ｃによって、シャッタ羽根５を時計方向へ回転させ、シャッタ羽根６を反時計方向へ回転させることによって、２枚のシャッタ羽根５，６に開き作動を行わせる。そして、シャッタ羽根５，６は、露光用開口部１ａを全開にすると、その直後に、シャッタ羽根５はストッパ軸１ｉに当接し、シャッタ羽根６はストッパ軸１ｈに当接して停止する。その後、コイル１１への通電を断つと、図１の状態に復帰したことになる。
【００２５】
尚、以上の説明からも分かるように、本実施例における補助羽根８を設けず、シャッタ羽根６がその作動中においても、絞り羽根７の光量制御用開口部７ａを覆っているようにすれば、シャッタ羽根５の先端部と光量制御用開口部７ａの縁との衝突を避けることが可能であるが、そのようにした場合には、シャッタ羽根６が大きくなってしまい、ひいては地板１を大きくせざるを得なくなってしまうが、本実施例の構成によれば、そのようにしなくても済むようになっている。また、後述の補助羽根８の作動説明からも分かるように、本実施例においては、シャッタ羽根６を、補助羽根８と略同じ面で作動させても干渉しないように構成されているので、４枚の羽根を備えているにもかかわらず、地板１と補助地板２の間隔が小さくて済むようになっている。
【００２６】
次に、撮影に際してレリーズボタンを押したとき、測光回路の測定結果によって、被写体光を制限して撮影すると判断された場合について説明する。その場合には、最初に、コイル１２に対して順方向の電流が供給される。それによって、回転子１０は、図１の状態から時計方向へ回転させられるので、出力ピン１０ｃによって、絞り羽根７を反時計方向へ回転させ、補助羽根８を時計方向へ回転させる。そのため、絞り羽根７は、露光用開口部１ａに進入していくが、補助羽根８は、露光用開口部１ａから遠ざかる方向へ作動させられるので、補助羽根８がシャッタ羽根６に衝突することはあり得ない。そして、光量制御用開口部７ａの中心が、露光用開口部１ａの中心位置までくると、絞り羽根７がストッパ軸１ｐに当接し、補助羽根８がストッパ軸１ｑに当接して停止する。図５は、その停止状態を示したものであるが、当然のことながら、この状態においてもシャッタ羽根５の先端部は、補助羽根８と重なっている。また、この停止状態のとき、補助羽根８がストッパ軸１ｑに接触していない理由は、上記の図４の状態におけるシャッタ羽根６の場合と同じである。
【００２７】
この状態になると、上記のようにして、実際の撮影が開始され、その後、コイル１１に順方向の電流が供給されると、シャッタ羽根５，６の閉じ作動が行われるが、そのときには、シャッタ羽根５，６の先端部の作動軌跡内に絞り羽根７の光量制御用開口部７ａが存在しないので、それらの間での衝突は生じることがなく、しかも、シャッタ羽根５は、補助羽根８との重なり状態を維持したまま作動させられていく。図６は、そのようにして閉じ作動が終了し、シャッタ羽根５，６の停止した状態を示したものである。この図６の状態で、固体撮像素子に蓄積された電荷が、撮像情報として記憶装置に転送されると、コイル１１に対して上記とは異なり逆方向の電流が供給され、シャッタ羽根５，６の開き作動が行われる。他方、コイル１２に対しても、上記とは異なり逆方向の電流が供給されるので、回転子１０は反時計方向へ回転させられ、その出力ピン１０ｃによって、絞り羽根７を時計方向へ回転させ、補助羽根８を反時計方向へ回転させる。そして、絞り羽根７が、露光用開口部１ａから完全に退くと、絞り羽根７はストッパ軸１ｊに当接し、補助羽根８はストッパ軸１ｋに当接して停止する。その後、二つのコイル１１，１２への通電を断つと、図１の状態に復帰したことになる。
【００２８】
このように、本実施例においては、補助羽根８が、シャッタ羽根５と絞り羽根７の間に配置されていて、装置を大きくすることなく、シャッタ羽根５の先端部と絞り羽根７の光量制御用開口部７ａとの衝突を好適に防止しているが、そのほかにも重要な役目を果たしている。即ち、上記したように、撮影待機状態においては、コイル１２に通電されていなくても、回転子１０には反時計方向へ回転する力が付与されている。ところが、その力は強力とはいえない。そのため、補助羽根８が設けられていないときは、カメラの構え方によっては、絞り羽根７が重力で反時計方向へ回転しやすい姿勢になることがあり、被写体光を制限しないで撮影するときに、絞り羽根７の一部が露光用開口部１ａ内に臨んでしまう可能性がある。ところが、本実施例のように、補助羽根８が設けられていると、絞り羽根７が重力で反時計方向へ回転するためには、補助羽根８を重力に逆らって時計方向へ回転させる力を必要とするため、結果的に、絞り羽根７は回転できず、図１の状態を維持させられるわけである。
【００２９】
尚、本実施例は、シャッタ装置と絞り装置とをユニット化した羽根駆動装置として説明したが、本実施例の絞り羽根７に、光量制御用開口部７ａを覆うようにしてＮＤフィルタシートを取り付ければ、絞り羽根７がフィルタ羽根になり、本実施例の羽根駆動装置は、シャッタ装置とフィルタ装置とをユニット化した羽根駆動装置になる。その場合、光量制御用開口部７ａは、本実施例のように、露光用開口部１ａより小さくてもよいが、同じか大きくしても構わない。また、本実施例は、デジタルカメラに採用された場合で説明したが、銀塩フィルムを使用するカメラに採用された場合には、図４に示された状態を撮影待機状態として、シャッタ羽根５，６に往復作動を行わせ、絞り羽根７と補助羽根８を本実施例と同様に作動させることになる。そして、それらの態様は、全て本発明の実施形態である。
【図面の簡単な説明】
【００３０】
【図１】撮影待機状態を示す実施例の平面図である。
【図２】構成部材の重なり関係を分かり易く示した実施例の断面図である。
【図３】図１の状態から開始したシャッタ羽根の閉じ作動の途中の状態を示す平面図である。
【図４】図１の状態から開始したシャッタ羽根の閉じ作動の終了状態を示す平面図である。
【図５】図１の状態から絞り羽根が露光開口に進入した状態を示す平面図である。
【図６】図５の状態から開始したシャッタ羽根の閉じ作動の終了状態を示す平面図である。
【符号の説明】
【００３１】
１                            地板
１ａ，２ａ                    露光用開口部
１ｂ，１ｃ，２ｂ，２ｃ，５ａ，６ａ，７ｂ，８ａ  長孔
１ｄ，１ｅ，１ｆ，１ｇ        羽根軸
１ｈ，１ｉ，１ｊ，１ｋ，１ｍ，１ｎ，１ｐ，１ｑ  ストッパ軸
１ｒ，１ｓ，１ｔ，１ｕ，１ｖ，１ｗ  取付軸
１ｘ，１ｙ                    回転子軸
２                            補助地板
２ｄ，２ｅ，２ｆ，２ｇ        孔
３，４                        固定子枠
３ａ，４ａ                    ボビン部
５，６                        シャッタ羽根
７                            絞り羽根
７ａ                          光量制御用開口部
８                            補助羽根
９，１０                      回転子
９ａ，１０ａ                  円筒部
９ｂ，１０ｂ                  アーム部
９ｃ，１０ｃ                  出力ピン
１１，１２                    コイル
１３，１４                    ヨーク
【図１】
2007316477.tif 000003
【図２】
2007316477.tif 000004
【図３】
2007316477.tif 000005
【図４】
2007316477.tif 000006
【図５】
2007316477.tif 000007
【図６】
2007316477.tif 000008